(57)【要約】【課題】意匠性や強度の低下を招くことなく加工性を高めることのできる、指つめ防止装置および戸構造を提供する。【解決手段】戸構造１０は、開口部１２に設けられた開口枠１４、開口枠１４に支持金具１６を介して開閉自在に支持された戸１８、および開口枠１４と戸１８との間において戸１８を開く際に生じる隙間Ｓを遮蔽する指つめ防止装置２０を備えている。指つめ防止装置２０は、戸１８の表面に取付部材４０，５０，５２を介して取り付けられた板状の押え面材３８と、可撓性を有し、幅方向一方端部が開口枠１４の内側面に固定されており、かつ、幅方向他方端部が戸１８の表面と押え面材３８との間に確保された収容空間３６に摺動自在に収容されているカバー部材３４とを有している。したがって、戸１８を開いた際に生じる隙間Ｓは、収容空間３６から引き出されたカバー部材３４によって覆われることになる。【選択図】図７
2008144549.tif 000002
【特許請求の範囲】
【請求項１】
支持体と前記支持体に支持金具を介して開閉自在に支持された戸との間において前記戸を開く際に生じる隙間を遮蔽するシート状のカバー部材、および前記戸の表面に取付部材を介して取り付けられ、前記カバー部材の一部を収容する収容空間を構成する板状の押え面材を備える、指つめ防止装置であって、
前記カバー部材は可撓性を有しており、前記カバー部材の幅方向一方端部が前記支持体に固定されており、かつ、前記カバー部材の幅方向他方端部が前記収容空間に摺動自在に収容されている、指つめ防止装置。
【請求項２】
前記取付部材は、前記戸の表面と前記押え面材との間に配置されたスペーサ部と、前記押え面材の端面に係止された係止部とを有している、請求項１に記載の指つめ防止装置。
【請求項３】
前記カバー部材の少なくとも一方の表面には、折り曲げ用の溝が形成されている、請求項１または２に記載の指つめ防止装置。
【請求項４】
前記カバー部材の幅方向他方端部には、前記押え面材との摩擦を低減させるための摩擦低減部材が設けられている、請求項１ないし３のいずれかに記載の指つめ防止装置。
【請求項５】
開口部に設けられた開口枠、前記開口枠に支持金具を介して開閉自在に支持された戸、および前記開口枠と前記戸との間において前記戸を開く際に生じる隙間を遮蔽する指つめ防止装置を備える、戸構造であって、
前記指つめ防止装置は、前記戸の表面に取付部材を介して取り付けられた板状の押え面材と、可撓性を有し、幅方向一方端部が前記開口枠の内側面に固定されており、かつ、幅方向他方端部が前記戸の表面と前記押え面材との間に確保された収容空間に摺動自在に収容されているカバー部材とを有している、戸構造。
【請求項６】
前記開口枠は、前記支持金具が取り付けられる縦枠を有しており、前記縦枠の内側面には、棒状の戸当りが前記押え面材の幅方向一方端部と共にネジによって固定されている、請求項５に記載の戸構造。
【発明の詳細な説明】
【技術分野】
【０００１】
本発明は、支持体と支持体に支持された戸との間において戸を開く際に生じる隙間で手指を挟むのを防止する、指つめ防止装置および戸構造を提供することである。
【背景技術】
【０００２】
マンションまたは戸建住宅等の建物においては、玄関、トイレまたは部屋等の出入口すなわち開口部に蝶番等の支持金具を介して戸（開き戸）が取り付けられているが、戸を開いた状態では、開口部の内側部と戸との間に隙間が生じるため、この隙間に幼児等の手指が挟まれるおそれがあった。そして、手指が挟まれた状態で戸が閉じられると、骨折等の重大な事故に至るおそれがあった。
【０００３】
そこで、従来では、開口部の内側部と戸との間に生じる隙間を遮蔽する技術が種々開発されており、その一例として、特許文献１に開示された「ドアの安全装置」や、特許文献２に開示された「安全ドア」等が公知である。
【特許文献１】特開平１０−４６９１３号
【特許文献２】特開２００１−５９３７８号
【発明の開示】
【発明が解決しようとする課題】
【０００４】
従来の「ドアの安全装置」（特許文献１）および「安全ドア」（特許文献２）は、いずれも開口部の内側部と戸との間に生じる隙間をシート状のカバー部材で遮蔽するものであり、当該隙間に手指が挟まれるのを確実に防止できる。
【０００５】
しかしながら、「ドアの安全装置」では、カバー部材の一部を摺動自在に収容する箱状のポケット部を戸の表面に取り付けていたので、ポケット部によって装飾性が著しく損なわれており、意匠性の面で問題があった。
【０００６】
一方、「安全ドア」では、カバー部材の一部を摺動自在に収容するスリットを戸の端部に設けるとともに、このスリットを表面板で覆っていたので、加工に手間がかかるという問題があった。また、開口部の内側部と表面板の端部との間で手指が挟まれるのを防止するためには、表面板の肉厚を薄くしなければならず、その結果、カバー部材の張力に対する表面板の強度に不安が生じていた。
【０００７】
それゆえに本発明の主たる課題は、意匠性や強度の低下を招くことなく、加工性を高めることのできる、指つめ防止装置および戸構造を提供することである。
【課題を解決するための手段】
【０００８】
請求項１に記載した発明は、「支持体１４，６０ｂと前記支持体１４，６０ｂに支持金具１６，６２を介して開閉自在に支持された戸１８，６０ａとの間において前記戸１８，６０ａを開く際に生じる隙間Ｓを遮蔽するシート状のカバー部材３４、および前記戸１８，６０ａの表面に取付部材４０を介して取り付けられ、前記カバー部材３４の一部を収容する収容空間３６を構成する板状の押え面材３８を備える、指つめ防止装置２０であって、前記カバー部材３４は可撓性を有しており、前記カバー部材３４の幅方向一方端部が前記支持体１４，６０ｂに固定されており、かつ、前記カバー部材３４の幅方向他方端部が前記収容空間３６に摺動自在に収容されている、指つめ防止装置２０」である。
【０００９】
本発明では、戸１８，６０ａの表面に取付部材４０，５０，５２を介して押え面材３８を取り付けるだけで収容空間３６を簡単に構成することができる。また、押え面材３８に装飾性を持たせることによって戸１８，６０ａのデザイン性を高めることができる。そして、押え面材３８によって収容空間３６の壁面が構成されているので、押え面材３８の材質および肉厚を適切に設定しておくことによってカバー部材３４の張力に対する強度を確保できる。
【００１０】
なお、本発明を「開き戸構造１０」に適用した場合には、開口枠１４が「支持体」となる。また、本発明を「折れ戸構造６４」に適用した場合には、一方の戸パネル６０ａが「戸」となり、他方の戸パネル６０ｂが「支持体」となる。
【００１１】
請求項２に記載した発明は、請求項１に記載した「指つめ防止装置２０」において、「前記取付部材５０，５２は、前記戸１８，６０ａの表面と前記押え面材３８との間に配置されたスペーサ部５０ａ，５２ａと、前記押え面材３８の端面に係止された係止部５０ｂ，５２ｂとを有している」ことを特徴とする。
【００１２】
本発明では、取付部材５０，５２を構成するスペーサ部５０ａ，５２ａによって収容空間３６が確保され、取付部材５０，５２を構成する係止部５０ｂ，５２ｂによって押え面材３８が保持される。
【００１３】
請求項３に記載した発明は、請求項１または２に記載した「指つめ防止装置２０」において、「前記カバー部材３４の少なくとも一方の表面には、折り曲げ用の溝４２が形成されている」ことを特徴とする。
【００１４】
本発明では、折り曲げ用の溝４２においてカバー部材３４を折り曲げることができるので、戸１８，６０ａの動きに合わせてカバー部材３４をスムーズに稼動させることができる。
【００１５】
請求項４に記載した発明は、請求項１ないし３のいずれかに記載の「指つめ防止装置２０」において、「前記カバー部材３４の幅方向他方端部には、前記押え面材３８との摩擦を低減させるための摩擦低減部材４４が設けられている」ことを特徴とする。
【００１６】
本発明では、摩擦低減部材４４で摩擦を低減させるようにしているので、カバー部材３４をよりスムーズに稼動させることができるとともに、摩擦音を低減させることができる。
【００１７】
請求項５に記載した発明は、「開口部１２に設けられた開口枠１４、前記開口枠１４に支持金具１６を介して開閉自在に支持された戸１８、および前記開口枠１４と前記戸１８との間において前記戸１８を開く際に生じる隙間Ｓを遮蔽する指つめ防止装置２０を備える、戸構造１０であって、前記指つめ防止装置２０は、前記戸１８の表面に取付部材４０，５０，５２を介して取り付けられた板状の押え面材３８と、可撓性を有し、幅方向一方端部が前記開口枠１４の内側面に固定されており、かつ、幅方向他方端部が前記戸１８の表面と前記押え面材３８との間に確保された収容空間３６に摺動自在に収容されているカバー部材３４とを有している、戸構造１０」である。
【００１８】
本発明は、請求項１に記載した指つめ防止装置２０を用いた戸構造１０に関するものである。
【００１９】
請求項６に記載した発明は、請求項５に記載した「戸構造１０」において、「前記開口枠１４は、前記支持金具１６が取り付けられる縦枠２２を有しており、前記縦枠２２の内側面には、棒状の戸当り２６が前記カバー部材３４の幅方向一方端部と共にネジ４６によって固定されている」ことを特徴とする。
【００２０】
本発明では、棒状の戸当り２６がカバー部材３４の幅方向一方端部と共に縦枠２２の内側面に固定されているので、戸当り２６を取り付ける作業と、カバー部材３４の幅方向一方端部を固定する作業とを同時に行うことができ、施工性を高めることができる。
【発明の効果】
【００２１】
請求項１〜６に記載した発明によれば、戸１８，６０ａの表面に取付部材４０，５０，５２を介して押え面材３８を取り付けるだけで収容空間３６を簡単に構成できるので、加工性を高めることができる。また、押え面材３８は板状であるため、箱状のもの（特許文献１）に比べてデザイン選択の自由度が高く、しかも、押え面材３８を異なるデザインのものに取り替えるだけで戸１８，６０ａのデザインを簡単に変更できるので、意匠性を高めることができる。そして、押え面材３８の材質および肉厚を適切に設定しておくことによってカバー部材３４の張力に対する強度を確保できる。
【発明を実施するための最良の形態】
【００２２】
図１は、本発明が適用された戸構造１０を示す一部断面平面図であり、図２は、戸構造１０を示す正面図である。
【００２３】
戸構造１０（図１、図２）は、開口部１２に設けられた開口枠１４、開口枠１４に蝶番等の支持金具１６を介して開閉自在に支持された戸１８、および開口枠１４と戸１８との間において戸１８を開く際に生じる隙間Ｓ（図７）を遮蔽する指つめ防止装置２０を備えている。
【００２４】
開口部１２は、マンションまたは戸建住宅等の建物において、玄関、トイレまたは部屋等の出入口や、収納等の建具の出入口となる部分であり、開口部１２の内側縁に開口枠１４が設けられている。
【００２５】
開口枠１４は、戸１８を支持する「支持体」として機能するものであり、図２に示すように、開口部１２の左右両側縁に設けられた２つの縦枠２２と、開口部１２の上側縁に設けられた横枠２４とを有しており、縦枠２２および横枠２４には、戸１８が当たる棒状の戸当り２６が取り付けられている。
【００２６】
戸１８は、図３に示すように、開口部１２を塞ぐ板状の戸パネル２８と、戸パネル２８の両主面に取り付けられたハンドル３０と、戸パネル２８の幅方向一方端面に出入自在に設けられ、縦枠２２に取り付けられた凹状金具（図示省略）に係止される係止金具３２とによって構成されている。そして、この戸１８が開口枠１４の縦枠２２に蝶番等の支持金具１６（図１）を介して開閉自在に取り付けられている。したがって、戸１８を開く際には、ハンドル３０に手を掛けて戸パネル２８を開方向へ回動させることになり、戸１８を閉じる際には、ハンドル３０に手を掛けて戸パネル２８を閉方向へ回動させることになる。
【００２７】
指つめ防止装置２０は、図４および図５に示すように、隙間Ｓ（図７）を覆うカバー部材３４と、戸１８の表面にカバー部材３４の一部を収容する収容空間３６を構成する押え面材３８と、収容空間３６を確保するために戸１８と押え面材３８との間に配設された取付部材４０とによって構成されている。
【００２８】
カバー部材３４（図４、図５）は、可撓性を有する略四角形のシート状部材であり、カバー部材３４の幅方向一方端部近傍における折り曲げ方向の表面には、図６に示すように、上下方向へ延びる溝４２が折り曲げ箇所に対応して形成されている。カバー部材３４の上下方向長さは、隙間Ｓ（図７）のほぼ全体を覆うことのできるように、戸１８（戸パネル２８）の上下方向長さとほぼ同じかそれよりもやや短く設定されており、カバー部材３４の左右方向長さ（幅）は、戸１８を１８０度開放した場合（図７）でも隙間Ｓを確実に覆うことのできるように、隙間Ｓの最大幅よりも十分に長く設定されている。そして、カバー部材３４の幅方向他方端部、すなわち収容空間３６へ挿入される側の端部における押え面材３８側の表面には、図４に示すように、押え面材３８との摩擦を低減させるための摩擦低減部材４４が上下方向へ延びて設けられている。
【００２９】
摩擦低減部材４４（図４）は、テープ状のベース部４４ａと、ベース部４４ａの表面に設けられたモヘアまたは布地等の低摩擦材４４ｂとによって構成されており、ベース部４４ａがカバー部材３４の表面に接着剤または粘着テープ等の固定手段を用いて固定されている。
【００３０】
そして、カバー部材３４の幅方向一方端部が開口部１２の内側部すなわち開口枠１４（縦枠２２）に戸当り２６と共にネジ４６（図４）によって固定されており、かつ、カバー部材３４の幅方向他方端部が収容空間３６に摺動自在に収容されている。また、ネジ４６の頭部には、頭隠し材（図示省略）が貼着されている。
【００３１】
なお、カバー部材３４の材質は、特に限定されるものではないが、「可撓性」の他、「曲げに強く」、「粘性が高い」といった性質を有していることが望ましく、具体的には、ＡＢＳまたはポリプロピレン等のような合成樹脂が適する。また、折り曲げ用の溝４２（図６）は、折り曲げ方向とは反対側の表面に形成されてもよいし、折り曲げ方向およびその反対方向の両側の表面に形成されてもよい。そして、カバー部材３４自体が十分な可撓性を有する場合には、溝４２は省略されてもよい。また、カバー部材３４には、戸構造１０の全体で色を統一したり、傷が目立たないようにしたりすることを目的として、塗装が施されてもよいし、化粧シート材が貼着されてもよい。さらに、カバー部材３４の幅方向一方端部は、本実施例のように戸当り２６の裏面側に配置されてもよいし（図４）、本実施例とは逆に、戸当り２６の表面側に配置されてもよい。
【００３２】
押え面材３８（図４、図５）は、戸１８の表面に取付部材４０を介して取り付けられた板状部材であり、押え面材３８の幅方向両端面は、角による怪我を防止するために、表面側の角が鈍角となるように傾斜して形成されている。また、収容空間３６の入口に位置する押え面材３８の幅方向端部は、カバー部材３４との摩擦抵抗を低減するために、Ｒ形状に加工されている。
【００３３】
押え面材３８の上下方向長さは、カバー部材３４を収容可能なようにカバー部材３４の上下方向長さよりもやや長めに設定されており、押え面材３８の左右方向長さ（幅）は、戸１８を閉じた際に収容空間３６からカバー部材３４がはみ出すことのないように、戸１８の表面におけるカバー部材３４の最大幅よりも十分に長く設定されている。さらに、押え面材３８の肉厚は、カバー部材３４の張力を受けても反らない強度を確保し得るように設定されている。
【００３４】
そして、押え面材３８の上端部および下端部の背面側に取付部材４０が配置されており、当該上端部および下端部の表面からねじ込まれたネジ４８によって、押え面材３８および取付部材４０が共に戸１８に固定されている。また、ネジ４８の頭部には、頭隠し材（図示省略）が貼着されている。
【００３５】
なお、押え面材３８の材質は、特に限定されるものではないが、カバー部材３４の張力を受けても反らない強度を確保し得るものである必要があり、具体的には、ＭＤＦ、合板、ＬＶＬ、集成材、無垢材等の木質材料や、ＡＢＳ、ポリプロピレン、ポリエステル等の合成樹脂材料や、アルミニウム等の金属材料が適する。また、押え面材３８の取付位置は、特に限定されるものではないが、押え面材３８の幅方向端面と縦枠２２の内側面との隙間で手指が挟まれるのを防止するためには、当該隙間の幅が手指の幅よりも広くなる位置に設定されることが望ましい。また、押え面材３８の角による怪我を防止するためには、当該角をＲ形状に加工してもよい。
【００３６】
取付部材４０は、収容空間３６を確保するために、押え面材３８の上端部および下端部の背面側に水平方向へ延びて配置された棒状部材である。取付部材４０の長さは、押え面材３８からはみ出すことのないように、押え面材３８の幅よりも短く設定されており、押え面材３８の厚さは、カバー部材３４を収容する収容空間３６を確保するために、カバー部材３４の厚さよりも厚く設定されている。
【００３７】
なお、取付部材４０の材質は、特に限定されるものではなく、木質材、金属または合成樹脂等の任意の材料が用いられ得る。
【００３８】
戸構造１０を構成する際には、建物の開口部１２に開口枠１４が取り付けられ、その後、開口枠１４を構成する一方の縦枠２２に支持金具１６を介して戸１８が取り付けられる。そして、戸１８の表面に取付部材４０を介して押え面材３８が取り付けられる。また、カバー部材３４の幅方向一方端部が一方の縦枠２２に戸当り２６と共にネジ４６によって固定され、カバー部材３４の幅方向他方端部が収容空間３６に摺動自在に収容される。なお、押え面材３８は、現場ではなく工場において戸１８の表面に取り付けられてもよい。
【００３９】
戸構造１０において、戸１８を開ける際には、戸１８のハンドル３０に手を掛けて戸パネル２８を開方向へ回動させる。すると、図７に示すように、収容空間３６からカバー部材３４が引き出され、このカバー部材３４によって隙間Ｓが覆われる。したがって、隙間Ｓに手指が入り込むのを確実に防止でき、手指を挟む事故を回避できる。一方、戸１８を閉じる際には、戸１８のハンドル３０に手を掛けて戸パネル２８を閉方向へ回動させる。すると、隙間Ｓを覆っていたカバー部材３４が収容空間３６へ押し込まれ、カバー部材３４の弛みが防止される。
【００４０】
なお、上述の実施例では、カバー部材３４の挿入側端部における押え面材３８側の表面に摩擦低減部材４４を設けるようにしているが、この摩擦低減部材４４は、少なくとも押え面材３８側の表面に設けられていればよい。したがって、図８に示すように、カバー部材３４の両面に摩擦低減部材４４が設けられてもよいし、これに加えて、押え面材３８の背面における入口部分等に摩擦低減部材４４が設けられてもよい。
【００４１】
また、上述の実施例では、単なる棒状の取付部材４０を用いているが、これに代えて、図９に示すような略Ｌ状の取付部材５０や、図１０に示すような略コ状の取付部材５２を用いてもよい。また、図１１に示すように、取付部材５２（または取付部材４０，５０）と押え面材３８との間に天然ゴム、合成ゴムまたはエラストマ等のクッション材５４を配設してもよい。
【００４２】
取付部材５０（図９）は、戸１８の表面と押え面材３８との間に配置される帯板状または棒状のスペーサ部５０ａと、押え面材３８の端面に係止される端面係止部５０ｂとによって略Ｌ状に構成されており、スペーサ部５０ａがネジ５６によって戸１８に固定され、端面係止部５０ｂがネジ５６によって押え面材３８の端面に固定される。一方、取付部材５２（図１０、図１１）は、戸１８の表面と押え面材３８との間に配置される帯板状または棒状のスペーサ部５２ａと、押え面材３８の端面に係止される端面係止部５２ｂと、押え面材３８の表面に係止される表面係止部５２ｃとによって略コ状に構成されており、スペーサ部５２ａがネジ５６によって戸１８に固定され、スペーサ部５２ａ、端面係止部５２ｂおよび表面係止部５２ｃによって押え面材３８の幅方向端部が保持される。
【００４３】
したがって、取付部材５０および５２によれば、押え面材３８の表面にネジ頭が露出するのを防止でき、意匠性をより高めることができる。また、略コ状の取付部材５２によれば、押え面材３８にネジ４８，５６をねじ込む必要がないので、ミラー等のネジ留めが困難なものを押え面材３８として用いることができる。そして、取付部材４０，５０，５２とクッション材５４とを併用した構成によれば、ミラー等を押え面材３８に用いるときのような衝撃を緩和させたい場合に有効である。
【００４４】
そして、上述の実施例では、本発明を一般的な「開き戸構造１０」に適用した場合を示したが、本発明は、図１２に示すような「折れ戸構造５８」にも適用可能である。折れ戸構造５８は、２枚の戸パネル６０ａ，６０ｂと、戸パネル６０ａ，６０ｂどうしを開閉自在に連結する支持金具６２とを有する折れ戸６４を備えており、折れ戸６４を開く際には、２枚の戸パネル６０ａ，６０ｂ間に隙間Ｓが生じる。したがって、本発明を折れ戸構造５８に適用した場合には、一方の戸パネル６０ａの表面に取付部材４０および押え面材３８によって収容空間３６が構成され、他方の戸パネル６０ｂの表面にカバー部材３４の幅方向一方端部がネジ６６によって固定され、カバー部材３４の幅方向他方端部が収容空間３６に摺動自在に収容されることになる。つまり、一方の戸パネル６０ａが「戸」であるとすれば、他方の戸パネル６０ｂが「支持体」となり、「戸」と「支持体」との間に生じる隙間Ｓをカバー部材３４によって覆うことになる。
【００４５】
さらに、押え面材３８としては、(a)姿見としての機能を備えたミラーや、(b)飾り板としての機能を備えたコルク面材や、(c)ＭＤＦまたは合板等の木質基材の表面に金属または革等の質感を再現したシート材を貼り付けたものや、(d)凹凸のある立体形状を組み合わせたもの等を用いるようにしてもよい。
【図面の簡単な説明】
【００４６】
【図１】戸構造（開き戸）を示す一部断面平面図
【図２】戸構造（開き戸）を示す正面図
【図３】戸を示す平面図および正面図
【図４】指つめ防止装置を示す断面図
【図５】図４におけるＶ−Ｖ線断面図
【図６】カバー部材を示す平面図
【図７】指つめ防止装置の動作を示す断面図
【図８】指つめ防止装置の変形例を示す断面図
【図９】取付部材の変形例を示す断面図
【図１０】取付部材の変形例を示す断面図
【図１１】取付部材の変形例を示す断面図
【図１２】他の戸構造（折れ戸）を示す一部断面平面図
【符号の説明】
【００４７】
１０…  戸構造（開き戸構造）
１２…  開口部
１４…  開口枠
１６…  支持金具
１８…  戸
２０…  指つめ防止装置
２２…  縦枠
２４…  横枠
２６…  戸当り
３２…  係止金具
３４…  カバー部材
３６…  収容空間
３８…  押え面材
４０，５０，５２…  取付部材
４２…  溝
４４…  摩擦低減部材
４４ａ…  ベース部
４４ｂ…  低摩擦材
５０ａ…  スペーサ部
５０ｂ…  端面係止部
５８…  折れ戸構造
【図１】
2008144549.tif 000003
【図２】
2008144549.tif 000004
【図３】
2008144549.tif 000005
【図４】
2008144549.tif 000006
【図５】
2008144549.tif 000007
【図６】
2008144549.tif 000008
【図７】
2008144549.tif 000009
【図８】
2008144549.tif 000010
【図９】
2008144549.tif 000011
【図１０】
2008144549.tif 000012
【図１１】
2008144549.tif 000013
【図１２】
2008144549.tif 000014